(57)【要約】本発明は、洋服ハンガーフック（１２）を洋服ハンガー本体（１１）に取り付けるための、特に再度取り付けるための方法および対応の装置に関する。この目的のために、洋服ハンガーフック（１２）を、特に、洋服ハンガーフックシャンク（１３）の領域で、接着剤（１７）で濡らす。接着剤（１７）は、洋服ハンガーフック（１２）と洋服ハンガー本体（１１）の間の結合位置の領域で、洋服ハンガーフック（１２）と洋服ハンガー本体（１１）の間のギャップ（２０）に浸入する。この結果、洋服ハンガーが洋服ハンガー本体（１１）の内側に貼着される。
2007529248.tif 000002
【特許請求の範囲】
【請求項１】
洋服ハンガーフック（１２）を洋服ハンガー本体（１１）に取り付けるための、特に再度取り付けるための方法において、
前記洋服ハンガーフック（１２）は、特に、洋服ハンガーフックシャンク（１３）の領域で、接着剤（１７）で濡らされ、また、この接着剤（１７）は、前記洋服ハンガーフック（１２）と洋服ハンガー本体（１１）との間の結合位置の領域で、前記洋服ハンガーフック（１２）と洋服ハンガー本体（１１）との間のギャップ（２０）に浸入することを特徴とする方法。
【請求項２】
前記接着剤（１７）は、ピペット（１５）で前記洋服ハンガーフック（１２）に塗布される、請求項１に記載の方法。
【請求項３】
前記ピペット（１５）の自由端は、弾性的である、請求項２に記載の方法。
【請求項４】
前記ピペット（１５）は、前記洋服ハンガーフックシャンク（１３）の領域で、前記洋服ハンガーフックに接触する、請求項２または３に記載の方法。
【請求項５】
前記ピペットの自由端は、前記洋服ハンガーフックシャンク（１３）との交差が生じるように、位置決めかつ整列されている、請求項４に記載の方法。
【請求項６】
前記接着剤（１７）は、毛管現象で流動可能な接着剤（１７）である、請求項１ないし５のいずれか１に記載の方法。
【請求項７】
ピペット（１５）を備え、洋服ハンガー（１０）を運ぶための運搬装置に関連して設けられている接着剤塗布手段を具備し、前記ピペット（１５）の自由端は、前記洋服ハンガー（１０）の移動コースの領域で位置決めされており、前記洋服ハンガー（１０）の運搬の際に前記ピペット（１５）の自由端がその時々に連続的に前記洋服ハンガーフック（１２）に接触する、前記洋服ハンガーフック（１２）を前記洋服ハンガー（１０）の洋服ハンガー本体（１１）に取り付けるための、特に再度取り付けるための装置。
【請求項８】
前記ピペット（１５）自由端は、弾性的である、請求項７に記載の装置。
【請求項９】
前記ピペット（１５）は、洋服ハンガーフックシャンク（１３）の領域で、前記洋服ハンガーフック（１２）に接触する、請求項７または８に記載の装置。
【請求項１０】
前記ピペット（１５）の自由端は、前記洋服ハンガーフックシャンク（１３）との交差が生じるように、位置決めかつ整列されている、請求項９に記載の装置。
【請求項１１】
前記ピペット（１５）で塗布された接着剤（１７）は、毛管現象で流動可能な接着剤（１７）である、請求項７ないし１０のいずれか１に記載の装置。
【発明の詳細な説明】
【技術分野】
【０００１】
本発明は、洋服ハンガーフックを洋服ハンガー本体に取り付けるための、特に再度取り付けるための方法および対応の装置に関する。
【背景技術】
【０００２】
洋服ハンガーは一般的に知られている。洋服ハンガーは、知られるように、衣服を吊るすための洋服ハンガー本体と、洋服ハンガー本体に取り付けかつ洋服ハンガー自体を吊るす洋服ハンガーフックとを有する。
【０００３】
洋服ハンガー、取分け単純かつ安価な洋服ハンガーを、衣服の販売の最中に、衣服の展示のために用いる。衣服を買うとき、通常は、レジの領域で、洋服ハンガーが、購入された衣服から分けられて、再使用に送られる。洋服ハンガーの再使用の際には、とりわけ、洋服ハンガーフックが洋服ハンガー本体にまだ十分に取り付けられていることが保証されねばならない。すなわち、洋服ハンガーフックは、荷重に絶え得るほどに、洋服ハンガー本体に結合されていなければならず、洋服ハンガーフックは、洋服ハンガー本体内で余りに容易に回転してはならない。
【０００４】
通常は、洋服ハンガーフックは、洋服ハンガー本体に平行に整列されている。この位置で、知られるように、複数の衣服は、夫々洋服ハンガーに掛けてレールまたは類似の物に並んで配置される。顧客が衣服を夫々の洋服ハンガーと共に取り上げるとき、洋服ハンガーフックを洋服ハンガー本体の中で約９０°回転して、洋服を再度吊るすことがしばしば生じる。かくして、顧客は、選択したか衣服か、選った品から選び出した衣服を、比較等のためにはっきりと見えるようにすることできる。洋服ハンガーフックのこのような動きは、洋服ハンガー本体における洋服ハンガーフックの取付けが緩むことをしばしばもたらす。
【０００５】
このことは、このような洋服ハンガーが再使用され、このような洋服ハンガーにある衣服が、衣服用の自動式運搬または分類装置において、動かされるとき、とりわけ、そのときに、不都合である。このような装置では、衣服は、洋服ハンガーに吊るしたまま、速い速度で動かされる。更に、これらの装置は、衣服が互いに平行に整列されて動かされるように適合されている。この場合、衣服の互いに平行な整列は、衣服を担う洋服ハンガーのかような整列によって生じる。洋服ハンガーのこのような整列は、同様に、洋服ハンガーフックおよび洋服ハンガー本体が互いに平行に整列されており、更に、洋服ハンガー本体における洋服ハンガーフックの最小限の可動性のみが与えられているときにのみ、達成されることができる。
【０００６】
このような最小限の可動性は、洋服ハンガーフックが手動でねじられたときには既に、しばしば最早与えられておらず、すなわち、可動性はこのような最小限の可動性を越えている。従来、このような洋服ハンガーフックを、費用をかけて識別および除去する必要がある。このことは、このことに伴う出費の故に、不都合である。不都合な他の出費は、除去された洋服ハンガーを、十分にしっかりと取り付けられた洋服ハンガーフックを有する新たな洋服ハンガーと取り換えねばならないことによって生じる。
【０００７】
しかしながら、不適切な洋服ハンガーが除去されないとき、自動式の運搬または分類装置での運搬の最中に洋服ハンガー本体が洋服ハンガーフックに対して回転するので、衣服の所望の平行な整列が最早与えられていないことが生じることがある。しかし、運搬または分類装置における自動式の処理工程は、この平行な整列に基づいている。それ故に、整列が間違っているとき、衣服、運搬または分類装置あるいは装置の構成要素に損傷が生じることがある。作業速度が速い故に、多数の衣服がこのような損傷を被ることがある。装置における万一の損傷の場合、破損が直されるまで、かなりの停止時間が生じる。これらの不都合は本発明によって回避され、または少なくも減じられる。
【発明の開示】
【発明が解決しようとする課題】
【０００８】
従って、本発明の課題は、洋服ハンガー、特に使用された洋服ハンガーを適切に処理して、所定の特性を、洋服ハンガー本体における洋服ハンガーフックの可動性（回転可能性）に関して満たす方法およびこの方法を実施するために適切な装置を提供することである。
【課題を解決するための手段】
【０００９】
本発明では、上記課題は、方法に関して、請求項１の特徴によって解決される。この目的のために、洋服ハンガーフックを洋服ハンガー本体に取り付けるための、特に、再度取り付けるための方法では、洋服ハンガーフックを、特に、洋服ハンガーフックシャンクの領域で、接着剤で濡らすこと、およびこの接着剤は、洋服ハンガーフックと洋服ハンガー本体の間の結合位置の領域で、洋服ハンガーフックと洋服ハンガー本体の間のギャップに浸入することが提案されている。従って、洋服ハンガーフックは洋服ハンガー本体と貼着される。
【００１０】
装置に関して、上記課題は、本発明に基づき、請求項７の特徴によって解決される。この目的のために、洋服ハンガーフックを洋服ハンガーの洋服ハンガー本体に取り付けるための、特に再度取り付けるための装置が提案されている。この装置は、ピペットを有し、かつ洋服ハンガーを運ぶための運搬装置に関連して設けられている接着剤塗布手段を具備する。ピペットの自由端は、洋服ハンガーの移動コースの領域で、位置決めされており、洋服ハンガーの運搬の最中にピペットの自由端がその時々に連続的に洋服ハンガーフックに接触する。
【００１１】
出願人の知る限りでは、洋服ハンガーフックの、洋服ハンガー本体との貼着は、従来考慮に入れられなかった。振り返ってみれば、このことの理由としては、一方では、このことに伴う出費が、追加の物質のすなわち接着剤の使用の際に挙げられ、他方では、接着剤で処理された洋服ハンガーの、気遣われる視覚的または触覚的な損傷が挙げられる。
【００１２】
明らかに考慮されなかった接着剤の代わりに、従来では、超音波による加熱によってまたは誘導方法の使用によって洋服ハンガーを洋服ハンガー本体に再度取着することが試みられてきた。このことは不都合にも時間を費やし、振り返ってみた比較において、従来の方法よりも著しく多い数の洋服ハンガーが貼着によって同時に処理される限りにおいて、好ましくない。
【００１３】
本発明の利点は、洋服ハンガーフックが、貼着によって、洋服ハンガー本体に対する所望の平行な方向に取り付けられ、貼着が、望ましくないねじれを防ぐのであるから、洋服ハンガーフックの、洋服ハンガー本体との貼着によって、洋服ハンガーを再使用することができることにある。この場合、貼着された洋服ハンガーフックが、にも拘わらず、洋服ハンガー本体内で回転することができるので、最終の顧客は、衣服の選択の際には、この洋服ハンガーが再使用された洋服ハンガーであることに気づかない。しかしながら、洋服ハンガーフックの回転のために費やされる力は、衣服を掛けた洋服ハンガーを自動的に運ぶ最中にねじれの危険が全然ない程度である。
【００１４】
本発明の好都合な実施の形態は従属請求項の主題である。
【００１５】
接着剤を洋服ハンガーフックに塗布するためには、特にピペットが適切である。このようなピペットの場合、自由端、すなわち接着剤のための流出口を有する端部が弾性的であることは好ましい。
【００１６】
接着剤を洋服ハンガーフックに塗布するためには、ピペットが洋服ハンガーフックシャンクの領域で洋服フックに接触することが提案されていることは好ましい。洋服ハンガーフックシャンクは、洋服ハンガーフックの実際のフックの下方にある真っ直ぐなまたは実質的に真っ直ぐな部分である。洋服ハンガーフックシャンクでは、接着剤は、洋服ハンガーフック（シャンク）と洋服ハンガー本体との間の結合位置にあるギャップの方向に流れ下ることが可能である。更に、この目的のために適切な装置を用いての接着剤の自動的な塗布の場合に、洋服ハンガーフックシャンクへの接着剤の塗布は、洋服ハンガーの異なったタイプ、特に異なった寸法を同一の装置で処理することができるという利点を有する。つまり、普通の洋服ハンガーの場合に洋服ハンガーフックシャフトの中央に向けてピペットを位置決めすることは、短いか長い洋服ハンガーフックシャンクを有する洋服ハンガーを加工することも可能にする。更に、ピペットの弾性的な自由端が、洋服ハンガーフックシャンクとの交差が生じるように、位置決めかつ整列されているとき、洋服ハンガーが揺れても、洋服ハンガーフックシャンクを濡らすことが保証されている。
【００１７】
使用される接着剤が毛管現象で流動可能な接着剤であることは好ましい。このような接着剤は、洋服ハンガーフック（シャンク）と洋服ハンガー本体との間の結合位置にあるギャップに浸入するために、特に適切である。この場合、毛管作用中には周囲空気においてよりも速く硬化する、毛管現象で流動可能な接着剤が、用いられることは特に好ましい。このとき、流動可能な接着剤は、早急に硬化することなく、ギャップの方向に移動することが可能である。次に、ギャップでは、比較的急速な硬化がなされる。その故に、洋服ハンガーフックの所望の取付けが達成される。接着剤の毛管現象による流動性によって、必要な接着剤の量が最小限に限定されている。このことは、毛管現象で流動可能なかような特殊な接着剤のかなりの費用に関しては、利点である。洋服ハンガーフックにまだある接着剤を、場合によっては拭い取ることができる。しかし、かように処理された洋服ハンガーフックの再使用前に、接着剤の十分な硬化を待つことはもっと好都合である。それ故に、洋服ハンガーフックに留まる接着剤は視覚的にも触覚的にも目立つことがない。
【００１８】
接着剤の毛管現象による流動性は、洋服ハンガー本体における洋服ハンガーフックのねじれが、本体の内部のプラスチック粉末の量を生じさせた状況にあっても、好都合に作用する。これらの粉末粒子と洋服ハンガーフックまたは洋服ハンガー本体との間には、特に小さい中間空間が生じる。これらの中間空間は、にもかかわらず、毛管現象で流動可能な接着剤によって満たされる。従って、洋服ハンガーフックのねじれの最中の洋服ハンガーの損傷の故に生じるプラスチック粉末は、洋服ハンガーフックのしっかりした再度の取付けに寄与する。
【００１９】
毛管現象で流動可能な接着剤の使用との関連における他の好ましい効果は、１度貼着した洋服ハンガーフックの場合に、瞬間的な貼着がねじれの最中に壊されるが、この場合、残っている残留粘性の故に接着剤によって或る程度自ら再度閉じられる最小限のギャップのみが生じることにある。従って、緩んで再度取り付けられた洋服ハンガーフックのための「自己回復作用」が或る程度生じる。
【００２０】
以下、本発明の実施の形態を、図面を参照して詳述する。互いに対応する物体または要素には、すべての図で、同一の参照符号が付せられている。
【発明を実施するための最良の形態】
【００２１】
図１は、洋服ハンガー本体１１および洋服ハンガーフック１２を有する洋服ハンガー１０を示す。以下、洋服ハンガー本体１１および洋服ハンガーフック１２を、短く、夫々本体１１およびフック１２という。フック１２が通常金属材料で製造されているの対し、本体１１はプラスチックまたは同類の物、場合によっては木材または金属で製造されている。フック１２および本体１１は、フック１２が、洋服ハンガーフックシャンク１３（以下、短くシャンク１３とも言う）の領域で、部分的に本体１１に突入することによって、互いに結合されている。本体１１の内部に延びているシャンク１３の更なる延び具合は、破線１４によって示されている。本体１１およびフック１２は、製造中に、互いに結合される。プラスチックで製造された本体１１を有する普通の洋服ハンガー１０の場合、本体１１が射出成形によって製造されるとき、フック１２は既に本体と結合される。本体１１が製造されている元になる材料の硬化によって、フック１２は本体１１に取り付けられる。フック１２を本体１１に取り付けることを改善するためには、フックが、本体１１の内部にある下端で、波形であるか粗くなっており、あるいは、他の方法で、本体１１内でのフック１２のねじれを防ぐ表面輪郭を有することがしばしば提案されている。
【００２２】
しかしながら、このような洋服ハンガー１０を使用するとき、フック１２が本体１１内でねじられることが、依然として生じる。この場合、フック１２と本体１１の材料との間の内的結合が壊される。それ故に、フック１２はしばしば容易に回転される。フック１２のこの容易な回転可能性は、洋服ハンガー１０の再使用可能性の妨げとなる。何故ならば、かように損なわれた洋服ハンガー１０によっては、衣服をこれらのハンガー１０に掛けて互いに平行に整列して運ぶことが、十分に確実に保証されていないからである。従って、本発明は、かような洋服ハンガー１０の再使用可能性を高めるために、洋服ハンガー１２が洋服ハンガー１１に貼着されることを提案する。このことは、ピペット１５で終わっている接着剤塗布手段を有する、詳細には示されていない装置でなされる。接着剤塗布手段は、接着剤を貯蔵した接着剤貯蔵容器を含む。この装置は、一般的には、機械的な方法で適切に取り付けられており、吊り下げ型の洋服ハンガー１０を運ぶ運搬装置に関連して設けられている。それ故に、塗布装置の傍を通って順々に動かされる複数の洋服ハンガー１０を連続的に貼着することが可能である。ピペット１５は、知られるように、自由端に、接着剤の滴１８の形態の接着剤１７が出る元である開口部１６を有する。
【００２３】
今、フック１２を本体１１に貼着することを、図２および３との関連でもっと詳しく説明する。
【００２４】
図２はフック１２と本体１１との間の結合位置の領域にある洋服ハンガー１０の詳細を示す。フック１２のうち、下方部分のみ、すなわち洋服ハンガーフックシャンク１３が示されている。図では、本体１１はシリンダ状のブッシング１９を有する。他のタイプの洋服ハンガー１０では、このようなブッシング１９はない。ブッシング１９自体は、他の点では、本発明にとって重要ではない。シャンク１３と本体１１の間で、図ではブッシング１９の上端に、ギャップ２０があいている。ギャップ２０は、本体１１の内部で、フック１２と本体１１の材料との間の材料の境に沿って続いている。フック１２を本体１１としっかり貼着するために、接着剤１７がこのギャップ２０に届かねばならない。この目的のためには、ピペット１５が固定されている場合に、より詳しくは、接着剤塗布手段が固定されている場合に、洋服ハンガー１０はピペットの傍を通って動かされる。洋服ハンガー１０の移動方向は矢印２１によって示されている。図では、洋服ハンガー１０は、いわば、紙の面から、見ている人の方向に動くのである。この動きの最中に、フック１２は、シャンク１３の領域で、ピペット１５にぶつかり、ピペットの自由端において既に出ている接着剤の滴１８を拭う。ピペット１５はこの目的のために弾性的である。ピペット１５の開口部１６がシャンク１３の直前の位置で調整されてなる状況が図示されている。ピペット１５とシャンク１３の接触の前に、交差がなされていて、シャンク１３が開口部１６の上方でピペット１５に当たることが提案されていることは好ましい。このことは、シャンクが図示のようには正確に垂直方向に向けられていない洋服ハンガー１０が揺れても、接着剤１７の塗布を可能にする。弾性的なピペット１５の実施の形態に関しては、図２を見て、運搬方向２１に沿っての洋服ハンガー１０の動きがここまで進んでおり、可撓性のあるピペット１５の転向が、次の瞬間に接着剤の滴１８の塗布がシャンク１３になされる、まさしくその点で、なされることを思い浮かべることができる。
【００２５】
図３は、処理された洋服ハンガー１０が、その運搬方向２１に沿ってピペット１５の傍を通って動かされて、接着剤１７がシャンク１３の表面に塗布された状況を示す。接着剤１７は、シャンク１３の表面を濡らしかつギャップ２０の方向に流れる、毛管現象で流動可能な接着剤１７である。接着剤１７は、重力の影響の故に、ギャップ２０の方向に流れる。ギャップ２０では、接着剤１７は、毛管現象による接着剤の流動性の故に動かされる。接着剤１７がギャップ２０内で硬化した後に、フック１２は本体１１に再度取り付けられている。
【００２６】
毛管現象による接着剤１７の流動性の故に、ピペット１５の開口部１６には、接着剤の滴１８を拭った後に、その都度新たに接着剤の滴１８が形成される。次に、この接着剤の滴を、次の洋服ハンガーフックシャンク１３に塗布することができる。接着剤１７の運搬は必ずしも必要ではない。（図示しない）接着剤塗布手段は、最も簡単な場合、ピペット１５および接着剤リザーバを有する。この実施の形態では、接着剤塗布手段を、運搬または分類装置の枠部分または類似の物に取り付けることができる。それ故に、その時々に吊下げて運搬される洋服ハンガー１０に対するピペット１５の上記位置が生じる。このことによって、洋服ハンガーフック１２を各々の洋服ハンガー本体１１で再度取り付けるための容易なかつ有効な可能性が生じる。この可能性は洋服ハンガー１０の再使用可能性を著しく高める。
【００２７】
従って、本発明を以下のように簡略に纏めることができる。洋服ハンガーフック１２を洋服ハンガー本体１１に取り付けるための、特に再度取り付けるための方法およびこの方法を実施するために適切な装置が記載される。この方法および装置では、洋服ハンガーフック１２は、特に、洋服ハンガーフックシャンク１３の領域で、接着剤１７で濡らされ、接着剤１７は、洋服ハンガーフック１２と洋服ハンガー本体１１の間の結合位置の領域で、洋服ハンガーフック１２と洋服ハンガー本体１１の間のギャップ２０に浸入する。それ故に、洋服ハンガーフックが洋服ハンガー本体１１に貼着される。
【図面の簡単な説明】
【００２８】
【図１】洋服ハンガーと、詳細に示さない接着剤塗布手段の部分であるピペットとを示す。
【図２】洋服ハンガーのフックと本体の間の結合位置の領域における洋服ハンガーの詳細および接着剤の塗布直前の状況を示す。
【図３】洋服ハンガーのフックと本体の間の結合位置におけるギャップへ流れ込み、そこで、フックを本体に貼着する接着剤が塗布されている洋服ハンガーの詳細を示す。
【符号の説明】
【００２９】
１０…洋服ハンガー、  １１…洋服ハンガー本体、本体、  １２…洋服ハンガーフック、フック、  １３…洋服ハンガーフックシャンク、シャンク、  １４…線、  １５…ピペット、  １６…（ピペットの）開口部、  １７…接着剤、  １８…接着剤の滴、  １９…ブッシング、  ２０…ギャップ、  ２１…矢印（運搬方向）。
【図１】
2007529248.tif 000003
【図２】
2007529248.tif 000004
【図３】
2007529248.tif 000005
【国際調査報告】
2007529248.tif 000006
2007529248.tif 000007
2007529248.tif 000008
2007529248.tif 000009
2007529248.tif 000010
2007529248.tif 000011